(57)【要約】【課題】物品の使用期限を管理することができ、期限切れの物品の使用を未然に防ぐことができるキャビネットを提供する。【解決手段】キャビネット１は、ストッカー１３Ａに配置されて容器の周面に表示されたバーコードを読み取るバーコードリーダと、バーコードリーダが読み取った使用期限情報に基づいて物品の使用期限を管理するコントローラと、コントローラからの指令に基づいて扉９を施解錠する電気錠１７とを有する。キャビネット１では、容器がストッカー１３Ａ内に貯蔵された状態で扉９が電気錠１７を介して施錠され、コントローラが使用期限情報に基づいて容器に収容された物品が使用期限内であると判断したときに電気錠１７に解錠指令を出力し、電気錠１７が解錠指令にしたがって扉９の施錠を解除する。【選択図】図１
2006069698.tif 000002
【特許請求の範囲】
【請求項１】
施解錠可能な扉と、前記扉の内側に設置されて頂底面および円筒状周面を有する物品収納容器の複数個を貯蔵可能なストッカーとを備え、前記ストッカーが、前記容器の１つを順に投入する上部投入口と、前記容器の１つを順に取り出す下部取出口と、前記投入口および前記取出口の間に延びる通路とを有し、前記投入口から投入された前記容器が前記通路を転動して前記ストッカー内に一列に並ぶキャビネットにおいて、
前記容器に収納された物品の使用期限情報を表すバーコードが、前記容器の周面に表示され、前記キャビネットが、前記ストッカーの取出口近傍に配置されて前記容器のバーコードを読み取るバーコードリーダと、前記バーコードリーダが読み取った使用期限情報に基づいて前記物品の使用期限を管理するコントローラと、前記コントローラからの指令に基づいて前記扉を施解錠する電気錠とを有し、
前記キャビネットでは、前記容器が前記ストッカー内に貯蔵された状態で前記扉が前記電気錠を介して施錠され、前記コントローラが前記バーコードリーダからの使用期限情報に基づいて該バーコードリーダを通る前記容器に収容された物品が使用期限内であると判断したときに前記電気錠に解錠指令を出力し、前記電気錠が前記解錠指令にしたがって前記扉の施錠を解除することを特徴とする前記キャビネット。
【請求項２】
前記キャビネットが、前記容器に収容された物品の使用期限切れを外部に知らせる音発生装置を有し、前記コントローラが、前記バーコードリーダからの使用期限情報に基づいて前記容器に収容された物品が使用期限切れであると判断したときに前記音発生装置に発音指令を出力し、前記音発生装置が、前記発音指令にしたがって発音する請求項１記載のキャビネット。
【請求項３】
前記キャビネットが、前記容器に収容された物品の使用期限切れを外部に知らせる光発生装置を有し、前記コントローラが、前記バーコードリーダからの使用期限情報に基づいて前記容器に収容された物品が使用期限切れであると判断したときに前記光発生装置に点灯指令を出力し、前記光発生装置が、前記点灯指令にしたがって発光する請求項１または請求項２に記載のキャビネット。
【請求項４】
前記キャビネットが、前記容器に収容された物品の使用期限切れ情報を外部受信機に送信する送信機を有し、前記コントローラが、前記バーコードリーダからの使用期限情報に基づいて前記容器に収容された物品が使用期限切れであると判断したときに前記送信機に使用期限切れ情報の送信指令を出力し、前記送信機が、前記送信指令にしたがって使用期限切れ情報を前記外部受信機に送信する請求項１ないし請求項３いずれかに記載のキャビネット。
【請求項５】
前記通路に進退出可能かつ該通路に進出したときに前記容器の転動を阻止する第１ストッパーが、前記取出口近傍であって該取出口から所定寸法後退した前記通路の第１部位に配置され、前記通路に進退出可能かつ該通路に進出したときに前記容器の転動を阻止する第２ストッパーが、前記第１ストッパーから所定寸法後退した前記通路の第２部位に配置され、前記バーコードリーダが配置されて前記容器の１つが入る第１スペースが、前記第１ストッパーと前記第２ストッパーとの間に形成され、前記容器が転動する第２スペースが、前記第１ストッパーと前記取出口との間に形成され、
前記コントローラが、前記第１スペースに位置する前記容器のバーコードを前記バーコードリーダが読み取ると、前記第２ストッパーの前記通路への進出状態を維持しつつ、前記通路に進出する前記第１ストッパーを該通路から退出させ、前記容器が前記第１スペースから前記第２スペースに向かって転動した後に、前記通路から退出した前記第１ストッパーを該通路に進出させる請求項１ないし請求項４いずれかに記載のキャビネット。
【請求項６】
前記通路に進退出可能かつ該通路に進出したときに前記容器の転動を阻止する第１ストッパーが、前記取出口近傍であって該取出口から所定寸法後退した前記通路の第１部位に配置され、前記通路に進退出可能かつ該通路に進出したときに前記容器の転動を阻止する第２ストッパーが、前記第１電磁ストッパーから所定寸法後退した前記通路の第２部位に配置され、前記容器の１つが入る第１スペースが、前記第１ストッパーと前記第２ストッパーとの間に形成され、前記バーコードリーダが配置されて前記容器が転動する第２スペースが、前記第１ストッパーと前記取出口との間に形成され、
前記コントローラが、前記第２ストッパーの前記通路への進出状態を維持しつつ、前記通路に進出する前記第１ストッパーを該通路から退出させ、前記第１スペースに位置する前記容器が該第１スペースから前記第２スペースに向かって転動した後に、前記通路から退出した前記第１ストッパーを該通路に進出させ、前記バーコードリーダが、前記第２スペースを転動する前記容器のバーコードを読み取る請求項１ないし請求項４いずれかに記載のキャビネット。
【請求項７】
前記コントローラが、前記第１ストッパーの前記通路への進出状態を維持しつつ、前記通路に進出する前記第２ストッパーを該通路から退出させ、前記容器が前記第１スペースに位置したときに前記通路から退出した前記第２ストッパーを該通路に進出させる請求項５または請求項６に記載のキャビネット。
【発明の詳細な説明】
【技術分野】
【０００１】
本発明は、所定の使用期限を有する物品が収容された物品収納容器の複数個を保管するキャビネットに関する。
【背景技術】
【０００２】
バーコードを利用して物品の使用期限を管理する管理システムがある（特許文献１参照）。この管理システムは、物品の販売時に物品に貼付されたバーコードをバーコードリーダで読み取り、バーコードリーダにつながるＰＯＳ端末装置がバーコードに表された物品の使用期限情報と現在の日時とを比較する。ＰＯＳ端末装置は、バーコードリーダが読み取った使用期限情報に基づいて物品の使用期限が切れている場合、端末装置の表示部に使用期限切れを表示し、端末装置に接続されたスピーカから所定の音を発生させる。
【特許文献１】特開平５−５４２１１号公報
【発明の開示】
【発明が解決しようとする課題】
【０００３】
前記公報に開示の管理システムでは、物品の使用期限切れ情報が表示装置やスピーカーから知らされたとしても、使用期限切れの物品を販売するか否かの判断が販売者に任されているので、期限切れを承知でその物品が販売されてしまう場合があり、購入者が期限切れを知らずにその物品を使用してしまう場合がある。
【０００４】
本発明の目的は、物品の使用期限を管理することができ、使用期限切れの物品が取り出されることはなく、期限切れの物品の使用を未然に防ぐことができるキャビネットを提供することにある。
【課題を解決するための手段】
【０００５】
前記課題を解決するための本発明の前提は、施解錠可能な扉と、扉の内側に設置されて頂底面および円筒状周面を有する物品収納容器の複数個を貯蔵可能なストッカーとを備え、ストッカーが、容器の１つを順に投入する上部投入口と、容器の１つを順に取り出す下部取出口と、投入口および取出口の間に延びる通路とを有し、投入口から投入された容器が通路を転動してストッカー内に一列に並ぶキャビネットである。
【０００６】
前記前提における本発明の特徴は、容器に収納された物品の使用期限情報を表すバーコードが容器の周面に表示され、キャビネットが、ストッカーの取出口近傍に配置されて容器のバーコードを読み取るバーコードリーダと、バーコードリーダが読み取った使用期限情報に基づいて物品の使用期限を管理するコントローラと、コントローラからの指令に基づいて扉を施解錠する電気錠とを有し、キャビネットでは、容器がストッカー内に貯蔵された状態で扉が電気錠を介して施錠され、コントローラがバーコードリーダからの使用期限情報に基づいて該バーコードリーダを通る容器に収容された物品が使用期限内であると判断したときに電気錠に解錠指令を出力し、電気錠が解錠指令にしたがって扉の施錠を解除することにある。
【０００７】
本発明の実施態様の一例としては、キャビネットが容器に収容された物品の使用期限切れを外部に知らせる音発生装置を有し、コントローラがバーコードリーダからの使用期限情報に基づいて容器に収容された物品が使用期限切れであると判断したときに音発生装置に発音指令を出力し、音発生装置が発音指令にしたがって発音する。
【０００８】
本発明の実施態様の他の一例としては、キャビネットが容器に収容された物品の使用期限切れを外部に知らせる光発生装置を有し、コントローラがバーコードリーダからの使用期限情報に基づいて容器に収容された物品が使用期限切れであると判断したときに光発生装置に点灯指令を出力し、光発生装置が点灯指令にしたがって発光する。
【０００９】
本発明の実施態様の他の一例としては、キャビネットが容器に収容された物品の使用期限切れ情報を外部受信機に送信する送信機を有し、コントローラがバーコードリーダからの使用期限情報に基づいて容器に収容された物品が使用期限切れであると判断したときに送信機に使用期限切れ情報の送信指令を出力し、送信機が送信指令にしたがって使用期限切れ情報を外部受信機に送信する。
【００１０】
本発明の実施態様の他の一例としては、通路に進退出可能かつ該通路に進出したときに容器の転動を阻止する第１ストッパーが取出口近傍であって該取出口から所定寸法後退した通路の第１部位に配置され、通路に進退出可能かつ該通路に進出したときに容器の転動を阻止する第２ストッパーが第１ストッパーから所定寸法後退した通路の第２部位に配置され、バーコードリーダが配置されて容器の１つが入る第１スペースが第１ストッパーと第２ストッパーとの間に形成され、容器が転動する第２スペースが第１ストッパーと前記取出口との間に形成され、コントローラが、第１スペースに位置する容器のバーコードをバーコードリーダが読み取ると、第２ストッパーの通路への進出状態を維持しつつ、通路に進出する第１ストッパーを該通路から退出させ、容器が第１スペースから第２スペースに向かって転動した後に、通路から退出した第１ストッパーを該通路に進出させる。このキャビネットでは、コントローラがバーコードリーダからの使用期限情報に基づいて第１スペースに位置する容器に収容された物品が使用期限内であると判断したときに電気錠に解錠指令を出力し、電気錠が解錠指令にしたがって扉の施錠を解除する。
【００１１】
本発明の実施態様の他の一例としては、通路に進退出可能かつ該通路に進出したときに容器の転動を阻止する第１ストッパーが取出口近傍であって該取出口から所定寸法後退した通路の第１部位に配置され、通路に進退出可能かつ該通路に進出したときに容器の転動を阻止する第２ストッパーが第１電磁ストッパーから所定寸法後退した通路の第２部位に配置され、容器の１つが入る第１スペースが第１ストッパーと第２ストッパーとの間に形成され、バーコードリーダが配置されて容器が転動する第２スペースが第１ストッパーと取出口との間に形成され、コントローラが、第２ストッパーの通路への進出状態を維持しつつ、通路に進出する第１ストッパーを該通路から退出させ、第１スペースに位置する容器が該第１スペースから第２スペースに向かって転動した後に、通路から退出した第１ストッパーを該通路に進出させ、バーコードリーダが、第２スペースを転動する容器のバーコードを読み取る。このキャビネットでは、コントローラがバーコードリーダからの使用期限情報に基づいて第２スペースを転動する容器に収容された物品が使用期限内であると判断したときに電気錠に解錠指令を出力し、電気錠が解錠指令にしたがって扉の施錠を解除する。
【００１２】
本発明の実施態様の他の一例としては、コントローラが、第１ストッパーの通路への進出状態を維持しつつ、通路に進出する第２ストッパーを該通路から退出させ、容器が第１スペースに位置したときに通路から退出した第２ストッパーを該通路に進出させる。
【発明の効果】
【００１３】
本発明に係るキャビネットによれば、コントローラがバーコードリーダからの物品の使用期限情報に基づいて、バーコードリーダを通る容器に収容された物品が使用期限内であると判断したときに電気錠に解錠指令を出力し、電気錠が解錠指令にしたがって扉の施錠を解除するので、使用期限内にある物品を収容した容器だけをキャビネットから取り出すことができる。このキャビネットは、コントローラがバーコードリーダからの物品の使用期限情報に基づいて、バーコードリーダを通る容器に収容された物品の使用期限が切れていると判断すると、電気錠に解錠指令を出力することなく扉の施錠状態が維持されるので、キャビネットから使用期限切れの物品を収容した容器が不用意に取り出されてしまうことはない。このキャビネットは、容器に収容された物品の使用期限を確実に管理することができ、使用期限切れの物品が取り出されることはなく、期限切れの物品の使用を未然に防ぐことができる。
【００１４】
使用期限切れの物品の存在を外部に知らせる音発生装置を有するキャビネットは、コントローラがバーコードリーダからの物品の使用期限情報に基づいて、バーコードリーダを通る容器に収容された物品の使用期限が切れていると判断すると、コントローラが発音指令を音発生装置に出力し、音発生装置が発音指令にしたがって発音するので、キャビネット内に使用期限切れの物品を収容した容器があることをキャビネットの外部に知らせることができ、期限切れの物品の使用を確実に防ぐことができる。
【００１５】
使用期限切れの物品の存在を外部に知らせる光発生装置を有するキャビネットは、コントローラがバーコードリーダからの物品の使用期限情報に基づいて、バーコードリーダを通る容器に収容された物品の使用期限が切れていると判断すると、コントローラが点灯指令を光発生装置に出力し、光発生装置が点灯指令にしたがって発光するので、キャビネット内に使用期限切れの物品を収容した容器があることをキャビネットの外部に知らせることができ、期限切れの物品の使用を確実に防ぐことができる。
【００１６】
物品の期限異常情報を外部受信機に送信する送信機を有するキャビネットは、コントローラがバーコードリーダからの物品の使用期限情報に基づいて、バーコードリーダを通る容器に収容された物品の使用期限が切れていると判断すると、コントローラが期限切れ情報の送信指令を送信機に出力し、送信機が送信指令にしたがって期限切れ情報を外部受信機に送信するので、キャビネット内に使用期限切れの物品を収容した容器があることを物品の管理責任者に知らせることができ、管理責任者がキャビネットからの期限切れの物品の取り出しを事前に阻止することができる。
【００１７】
通路に進退出可能な第１および第２ストッパーを有し、バーコードリーダがそれらストッパーの間に形成された第１スペースに配置されたキャビネットは、バーコードリーダが第１スペースに位置する容器のバーコードを読み取り、コントローラがバーコードリーダからの物品の使用期限情報に基づいて、第１スペースに位置する容器に収容された物品が使用期限内であると判断すると、電気錠に解錠指令を出力するとともに、第１ストッパーを通路から退出させ、容器が１つ毎に第２スペースを転動して取出口に向かうので、物品の期限管理を容器１つ毎に行うことができる。このキャビネットは、ストッカーに並ぶ容器が順に第１スペースに位置し、使用期限の判断が行われた容器がキャビネットから順に取り出されるので、容器の複数個がキャビネットから一度に取り出されることはなく、期限切れの物品を収容した容器の取り出しを確実に防ぐことができる。
【００１８】
通路に進退出可能な第１および第２ストッパーを有し、バーコードリーダが第１ストッパーと取出口との間に形成された第２スペースに配置されたキャビネットは、容器が第２スペースを転動する間に、バーコードリーダが容器のバーコードを読み取るので、容器のバーコードをバーコードリーダに確実に読み取らせることができ、容器に収容された物品の期限管理を確実に行うことができる。このキャビネットは、コントローラが第１ストッパーを通路から退出させ、第１スペースに位置する容器が１つ毎に第２スペースを転動して取出口に向かうとともに、コントローラがバーコードリーダからの物品の使用期限情報に基づいて、第２スペースを転動する容器に収容された物品が使用期限内であると判断すると、電気錠に解錠指令を出力するので、物品の期限管理を容器１つ毎に行うことができる。このキャビネットは、ストッカーに並ぶ容器が第１スペースから順に第２スペースに移動し、使用期限の判断が行われた容器がキャビネットから順に取り出されるので、容器の複数個がキャビネットから一度に取り出されることはなく、期限切れの物品を収容した容器の取り出しを確実に防ぐことができる。
【００１９】
コントローラが第１ストッパーの通路への進出状態を維持しつつ通路に進出する第２ストッパーを該通路から退出させ、容器が第１スペースに位置したときに通路から退出した第２ストッパーを該通路に進出させるキャビネットは、容器を１つ毎に第１スペースに確実に位置させることができ、物品の期限管理を容器１つ毎に確実に行うことができる。
【発明を実施するための最良の形態】
【００２０】
添付の図面を参照し、本発明に係るキャビネットの詳細を説明すると、以下のとおりである。
【００２１】
図１，２は、一例として示すキャビネット１の斜視図と、ストッカー１３Ａ内に貯蔵される容器３２Ａの斜視図とであり、図３，４は、側壁４０を破断した状態で示すストッカー１３Ａの斜視図と、ストッカー１３Ａの最下に延びる通路４７の側面図とである。図１，３では、縦方向を矢印Ｌ、横方向を矢印Ｍで示し、前後方向を矢印Ｎで示す。図１は、扉９を開けた状態が二点鎖線で示されている。図３では、ストッカー１３Ａ内における容器３２Ａの移動を矢印Ｚで示す。キャビネット１は、縦方向へ長い直方体を呈し、ストッカー収納ユニット２と、収納ユニット２の下方に位置してユニット２に連なる機材格納ユニット３とを有する。このキャビネット１は、所定の使用期限がある物品（図示せず）を収容した物品収納容器３２Ａの複数個を保管する。
【００２２】
収納ユニット２は、縦方向へ離間対向する頂底壁４，５および横方向へ離間対向する両側壁６，７と、後壁８および後壁８の前方に位置する施解錠可能な扉９とから形成されている。頂壁４には、音発生装置１０と光発生装置１１とアンテナ１２とが設置されている。収納ユニット２の内部には、容器３２Ａの複数個を貯蔵可能な横方向へ並ぶ３つのストッカー１３Ａが設置されている。ただし、ストッカー１３Ａの個数は、図示の３つに限定されず、キャビネット１や容器３２Ａの大きさに応じて適宜変更することができる。
【００２３】
扉９は、枠１４と、枠１４に嵌め込まれた透明な窓１５とから形成されている。扉９の一方の側縁部は、蝶番（図示せず）を介して側壁７に取り付けられている。扉９は、蝶番を介してキャビネット１の前後方向へ旋回する。扉９の他方の側縁部には、マグネット１６が取り付けられている。側壁６の側縁部には、扉９を施解錠可能な電気錠１７と、マグネット１８とが取り付けられている。扉９を閉めると、マグネット１６とマグネット１８とが当接し、互いの磁力によってそれらマグネット１６，１８どうしの当接状態が保持されるとともに、扉９を閉じた状態が維持される。それらマグネット１６，１８の磁力に抗して扉９をキャビネット１の前方へ旋回させると、扉９を開けることができる。
【００２４】
機材格納ユニット３は、底壁１９と、ユニット２の両側壁６，７に連なる両側壁２０，２１と、ユニット２の後壁８に連なる後壁２２と、扉９の下方に位置する前壁２３とから形成されている。前壁２３には、扉９を施錠するときに使用する施錠スイッチ２４と、キャビネット１から容器３２Ａを取り出すときに使用する取出スイッチ２５と、テンキーパネル２６とが取り付けられている。格納ユニット３の内部には、容器３２Ａに収容された物品の使用期限を管理するとともに各装置を制御するコントローラ２７と、テンキーパネル２６がつながるテンキーモジュール２８と、電気錠１７の施解錠を制御する電気錠制御器２９と、使用期限切れ情報を外部受信機３０に送信する送信機３１とが格納されている（図５参照）。
【００２５】
容器３２Ａは、円形の頂底面３３，３４と、円筒状の周面３５とを有する。容器３２Ａの周面３５には、表面にバーコード３６が印刷されたシート３７が取り付けられている。容器３２Ａでは、頂底壁３３，３４のいずれか一方を開けることで、内部に収容された物品を容器３２Ａから取り出すことができる。容器３２Ａに収容される物品は、使用期限があるそれであれば特に限定はなく、液体、固体、粘性流体、粒状物、紛状物のいずれであってもよい。バーコード３６は、容器３２Ａに収容された物品の使用期限情報を表す。バーコード３６には、特に限定はなく、ＪＩＳ規格（日本工業規格）のＪＡＮ（Japanese Article Number）コードやＩＴＦ−１４／１６、コード３９、コーダバー、コード９３、コード１２８、コード４９、コード１６Ｋを使用することができる。シート３７は、容器３２Ａの周面３５のほぼ中央に位置して周方向へ延び、周面３５を１周している。シート３７としては、上質紙、コート紙、合成紙、ポリエステルフィルム、ポリイミドフィルム、セラミックフィルムを使用することができる。シート３７は、その裏面に接着剤（図示せず）が塗布され、接着剤を介して容器３２Ａの周面３５に固着されている。なお、バーコード３６は、シート３７ではなく、容器３２Ａの周面３５に直接印刷されていてもよい。
【００２６】
ストッカー１３Ａは、縦方向へ離間対向する頂底壁３８，３９および横方向へ離間対向する両側壁４０，４１と、前後方向へ離間対向する前後壁４２，４３と、それら壁３８，３９，４０，４１，４２，４３の間に配置されて縦方向へ所定寸法離間して並ぶ複数の平板４４とから形成されている。ストッカー１３Ａは、ユニット２の上方に位置して容器３２Ａの１つを順に投入する上部投入口４５と、ユニット２の下方に位置して容器３２Ａの１つを順に取り出す下部取出口４６と、投入口４５および取出口４６の間に延びる通路４７とを有する。平板４４は、前壁４２から後壁４３に向かって下がり勾配を有する第１平板４４Ａと、後壁４３から前壁４２に向かって下がり勾配を有する第２平板４４Ｂとから形成されている。第１および第２平板４４Ａ，４４Ｂは、ストッカー１３Ａの上方から下方へ向かって交互に配置されている。通路４７は、それら壁３８，３９，４０，４１，４２，４３と平板４４とから形成され、投入口４５と取出口４６との間で互い違いに傾斜している。
【００２７】
容器３２Ａは、平板４４と直交するようにそれを横向きに寝かせ、その周面３５を平板４４に当接させた状態で投入口４５に投入する。容器３２Ａを投入口４５に順次投入すると、容器３２Ａが投入口４５から通路４７に進入して平板４４上を転がり、容器３２Ａの複数個が通路４７に順に並ぶ。取出口４６には、停止板４８が取り付けられている。容器３２Ａが停止板４８に当接すると、容器３２Ａの転動が停止する。取出口４６の近傍には、容器３２Ａのバーコード３６を読み取るバーコードリーダ４９が配置されている。バーコードリーダ４９は、ストッカー１３Ａの最下に位置する平板４４Ｂの下面に取り付けられ、そのスキャナー部（図示せず）が平板４４Ｂに形成された貫通孔５０の周縁部に固定されている。スキャナー部は、貫通孔５０から通路４７に向かっている。
【００２８】
図５は、キャビネット１のハードウェアーの一例を示すブロック図である。電気錠１７は、通電金具（図示せず）を介して電気錠制御器２９に電気的に接続されている。電気錠制御器２９は、コントローラ２７にインターフェイス（図示せず）を介して電気的に接続されている。電気錠１７には、電流の通電中継続して施錠状態を維持し、通電が切れると施錠を解除する通電時施錠型が使用されている。施錠状態にある電気錠１７は、テンキーパネル２６から所定の暗証番号を打ち込むことで施錠を解除することができる他、鍵（図示せず）を介して施錠を解除することもできる。音発生装置１０、光発生装置１１、施錠スイッチ２４、取出スイッチ２５、テンキーモジュール２８、送信機３１、バーコードリーダ４９は、コントローラ２７にインターフェイス（図示せず）を介して電気的に接続されている。音発生装置１０、光発生装置１１、施錠スイッチ２４、取出スイッチ２５、コントローラ２７、テンキーモジュール２８、送信機３１、電気錠制御器２９、バーコードリーダ４９には、キャビネット１から延びる配電線（図示せず）を介して電力が供給されている。
【００２９】
音発生装置１０と光発生装置１１とには、スイッチ回路（図示せず）が内蔵されている。音発生装置１０には、ブザーやサイレン等を使用することができる。光発生装置１１には、赤色灯や点滅ライト等を使用することができる。送信機３１には、無線機が使用され、アンテナ１２が電気的に接続されている。外部受信機３０には、携帯電話や携帯用無線通話機、送信機に無線ＬＡＮで接続されたコンピュータ端末を使用することができる。なお、送信機３１は、線路を介して外部受信機３０に接続されていてもよい。
【００３０】
バーコードリーダ４９には、ＣＣＤスキャン方式やレーザースキャン方式を使用することができる。バーコードリーダ４９は、バーコードをアナログ電気信号に変換し、アナログ電気信号を増幅しつつ、アナログ電気信号を１本１本のバー幅に応じたデジタル信号に変換する。デジタル信号は、カウンターを介してバー幅の信号時間がカウントされ、量子化される。量子化されたバーコード情報（以下、使用期限情報という）は、デコーダ（図示せず）で解読された後、デコーダからコントローラ２７に出力される。
【００３１】
コントローラ２７は、制御部とメモリとタイマとを有するマイクロプロセッサ（図示せず）から形成されている。コントローラ２７の制御部は、メモリに格納されたプログラムを起動し、プログラムにしたがって所定のプロセスを実行する。制御部は、バーコードリーダ４９のデコーダから入力された使用期限情報をメモリが記憶可能な言語に変換し、バーコード３６の識別コードに基づいて使用期限情報に識別番号を付け、使用期限情報を識別コード毎に区分してメモリの物理アドレス領域に格納する。制御部は、メモリに格納された使用期限情報をタイマの年月日と比較し、使用期限情報が示す年月日がタイマの年月日以後の場合、解錠信号（解錠指令）を電気錠制御器２９に出力する。逆に、使用期限情報が示す年月日がタイマの年月日より以前であった場合、解錠信号を出力することなく、発音信号（発音指令）を音発生装置１０に出力するとともに、点灯信号（点灯指令）を光発生装置１１に出力し、送信信号（送信指令）を送信機３１に出力する。
【００３２】
このキャビネット１における容器３２Ａの投入手順の一例を以下に説明する。キャビネット１に容器３２Ａを収納するには、扉９を開けて容器３２Ａを投入口４５から投入し、ストッカー１３Ａ内に容器３２Ａの複数個が並んだ後、扉９を閉める。次に、施錠スイッチ２４を押して扉９の施錠をコントローラ２７に要求する。施錠スイッチ２４が押されると、コントローラ２７が施錠信号（施錠指令）を電気錠制御器２９に出力する。施錠信号が入力された電気錠制御器２９は、通電金具を介して所定の電流を電気錠１７に流す。電気錠１７は、電流の通電によってその締まり機構が作動し、扉９を施錠する。容器３２Ａが通路４７を転動して取出口４６に達すると、容器３２Ａが取出口４６近傍に形成された貫通孔５０上（バーコードリーダ４９のスキャナー部上）に位置し、バーコードリーダ４９が取出口４６に位置する容器３２Ａのバーコード３６を読み取り可能となる。
【００３３】
このキャビネット１における容器３２Ａの取り出し手順の一例を以下に説明する。キャビネット１から容器３２Ａを取り出すには、取出スイッチ２５を押して容器３２Ａの取り出しをコントローラ２７に要求する。取出スイッチ２５が押されると、コントローラ２７がバーコードリーダ４９にバーコード３６の読取信号（読取指令）を出力し、スキャナー部が起動してバーコードリーダ４９が取出口４６に位置する容器３２Ａのバーコード３６を読み取る。バーコードリーダ４９からの使用期限情報は、コントローラ２７に入力され、コントローラ２７のメモリに格納される。コントローラ２７の制御部は、それに内蔵されたタイマが示す年月日と容器３２Ａに収容された物品の使用期限情報とを比較し、物品の使用期限が期限内か期限外かを判断する。制御部は、使用期限がタイマの年月日以後の場合（容器３２Ａに収容された物品が使用期限内である場合）、解錠信号を電気錠制御器２９に出力する。解錠信号が入力された電気錠制御器２９は、通電金具を介して電気錠１７への通電を遮断する。電気錠１７は、電流が遮断がされると、その締まり機構が作動し、扉９の施錠を解除する。扉９の施錠が解除された後、扉９を開き、取出口４６に位置する容器３２Ａを取り出し、再び扉９を閉めて施錠スイッチ２４を押す。施錠スイッチ２４が押されると、容器３２Ａをキャビネット１に収納するときと同様に、コントローラ２７が施錠信号を電気錠制御器２９に出力し、電気錠１７が扉９を施錠する。
【００３４】
コントローラ２７の制御部は、物品の使用期限情報が示す年月日がタイマの年月日より以前であった場合（容器３２Ａに収容された物品の使用期限が切れている場合）、発音信号を音発生装置１０に出力し、点灯信号を光発声装置１１に出力するとともに、期限切れ情報の送信信号を送信機３１に出力する。発音信号および点灯信号が出力されると、音発生装置１０や光発生装置１１のスイッチ回路のスイッチが入り、音発生装置１０が発音し、光発生装置１１が発光する。期限切れ情報は、送信機３１で変調されて電波信号となり、アンテナ１２を介して外部に発信され、外部受信機３０に受信される。取出口４６に位置する容器３２Ａに収容された物品の使用期限が切れている場合は、電気錠１７が扉９の施錠を解除することはなく、扉９を開けることができないので、キャビネット１から容器３２Ａを取り出すことはできない。この場合、物品の管理責任者がテンキーパネル２６から所定の暗証番号を打ち込むと、テンキーモジュール２８から暗証番号がコントローラ２７に入力され、コントローラ２７が電気錠制御器２９に解錠信号を出力し、電気錠制御器２９が電気錠１７への通電を遮断して電気錠１７が扉９の施錠を解除する。また、管理責任者は、鍵を介して電気錠１７の施錠を解除する。管理責任者は、テンキーパネル２６または鍵を介して電気錠１７の施錠を解除した後、扉９を開けて期限切れの物品を収容した容器３２Ａをキャビネット１から回収し、再び扉９を閉めて施錠スイッチ２４を押す。管理責任者が期限切れの物品を収容した容器３２Ａをキャビネット１から回収した後、扉９を閉めて施錠スイッチ２４を押すと、コントローラ２７が施錠信号を電気錠制御器２９に出力し、電気錠１７が扉９を施錠する。
【００３５】
このキャビネット１は、バーコードリーダ４９が読み取った物品の使用期限情報に基づいてコントローラ２７の制御部が取出口４６に位置する容器３２Ａに収容された物品の使用期限が切れていると判断すると、コントローラ２７の制御部が解錠信号を出力することはなく、扉９の施錠状態が維持されるので、キャビネット１内に保管された物品の使用期限を確実に管理することができ、キャビネット１内から使用期限切れの物品を収容した容器３２Ａが取り出されることがなく、期限切れの物品の使用を未然に防ぐことができる。
【００３６】
キャビネット１は、コントローラ２７の制御部が取出口４６に位置する容器３２Ａに収容された物品の使用期限が切れていると判断すると、制御部が発音信号と点灯信号とを出力し、音発生装置１０が発音信号にしたがって発音するとともに、光発生装置１１が点灯信号にしたがって発光するので、取出口４６に使用期限切れの物品を収容した容器３２Ａがあることをキャビネット１の外部に知らせることができ、期限切れの物品の使用を確実に防ぐことができる。
【００３７】
キャビネット１は、コントローラ２７の制御部が取出口４６に位置する容器３２Ａに収容された物品の使用期限が切れていると判断すると、制御部が送信機３１に送信信号を出力し、送信機３１が送信信号にしたがって期限切れ情報を外部受信機３０に送信するので、取出口４６に使用期限切れの物品を収容した容器３２Ａがあることを物品の管理責任者に知らせることができ、管理責任者がキャビネット１からの期限切れの物品の取り出しを事前に阻止することができる。
【００３８】
図６，７は、他の一例として示すストッカー１３Ｂの斜視図と、図６のストッカー１３Ｂ内に貯蔵される容器３２Ｂの斜視図とである。図６では、縦方向を矢印Ｌ、横方向を矢印Ｍ、前後方向を矢印Ｎで示し、ストッカー１３Ｂ内における容器３２Ｂの移動を矢印Ｚで示す。なお、ストッカー１３Ｂを除くキャビネット１の構成は、図１のそれと同一であるから、図１を援用してその図示は省略する。
【００３９】
ストッカー１３Ｂは、頂底壁３８，３９および両側壁４０，４１と、前後壁４２，４３と、縦方向へ並ぶ複数の平板４４とから形成されている。ストッカー１３Ｂは、ストッカー１３Ａと同様に、その３つが横方向へ並んだ状態でストッカー収納ユニット２の内部に設置されている。ストッカー１３Ｂは、ユニット２の上方に位置して後記する容器３２Ｂの１つを順に投入する上部投入口４５と、ユニット２の下方に位置して容器３２Ｂの１つを順に取り出す下部取出口４６と、投入口４５および取出口４６の間に延びる通路４７とを有する。平板４４は、前壁４２から後壁４３に向かって下がり勾配を有する第１平板４４Ａと、後壁４３から前壁４２に向かって下がり勾配を有する第２平板４４Ｂとから形成されている。第１および第２平板４４Ａ，４４Ｂは、ストッカー１３Ｂの上方から下方へ向かって交互に配置されている。通路４７は、それら壁３８，３９，４０，４１，４２，４３と平板４４とから形成され、投入口４５と取出口４６との間で互い違いに傾斜している。ストッカー１３Ｂの最下に延びる通路４７には、ソレノイドから形成された第１電磁ストッパー５１（第１ストッパー）と第２電磁ストッパー５２（第２ストッパー）とが設置されている。それらストッパー５１，５２は、図示はしていないが、磁気回路となるフレーム、可動鉄芯、固定鉄芯、励磁用コイルとから構成されている。
【００４０】
第１電磁ストッパー５１は、取出口４６近傍であって取出口４６から投入口４５に向かって前後方向後方へ所定寸法後退した通路４７の第１部位５３に配置されている。ストッパー５１は、ストッカー１３Ｂの最下に位置する平板４４Ｂに装置され、平板４４Ｂに形成された透孔５４から通路４７に進退出可能である。ストッパー５１が通路４７に進出すると、平板４４Ｂにおける容器３２Ｂの転動が阻止される。第２電磁ストッパー５２は、第１電磁ストッパー５１から投入口４５に向かって前後方向後方へ所定寸法後退した通路４７の第２部位５５に配置されている。ストッパー５２は、ストッパー５１と同様に、ストッカー１３Ｂの最下に位置する平板４４Ｂに装置され、平板４４Ｂに形成された透孔５６から通路４７に進退出可能である。ストッパー５２が通路４７に進出すると、平板４４Ｂにおける容器３２Ｂの転動が阻止される。
【００４１】
第１電磁ストッパー５１と第２電磁ストッパー５２との間には、容器３２Ｂの１つが入る第１スペース５７が形成されている。第１スペース５７には、容器３２Ｂのバーコード３６を読み取る２つバーコードリーダ４９Ａ，４９Ｂが配置されている。バーコードリーダ４９Ａは、ストッカー１３Ｂの最下に位置する平板４４Ｂの下面に取り付けられ、そのスキャナー部（図示せず）が平板４４Ｂに形成された貫通孔５０の周縁部に固定されている。バーコードリーダ４９Ａのスキャナー部は、貫通孔５０から第１スペース５７に向かっている。バーコードリーダ４９Ｂは、平板４４Ｂの上方に位置する平板４４Ａの下面に取り付けられ、そのスキャナー部（図示せず）が第１スペース５７に向かっている。第１電磁ストッパー５１と取出口４６との間には、容器３２Ｂが転動する第２スペース５８が形成されている。
【００４２】
容器３２Ｂは、円形の頂底面３３，３４と、円筒状の周面３５とを有する。容器３２Ｂの周面には、表面にバーコード３６が印刷された３つシート３７が取り付けられている。シート３７は、容器３２Ｂの周面３５のほぼ中央に位置して頂底面３３，３４間に延び、裏面に塗布された接着剤（図示せず）を介して周面３５に固着されている。それらシート３７は、周面３５の円周を３等分するように配置されている。バーコード３６は、図２のそれと同様に、ＪＡＮコードやＩＴＦ−１４／１６、コード３９、コーダバー、コード９３、コード１２８、コード４９、コード１６Ｋを使用することができる。シート３７は、図２に示すそれと同一の素材から作られている。投入口４５に容器３２Ｂを順次投入すると、容器３２Ｂが投入口４５から通路４７に進入して平板４４上を転がり、容器３２Ｂの複数個が通路４７に順に並ぶ。
【００４３】
図８は、キャビネット１のハードウェアーの他の一例を示すブロック図である。電気錠１７は、通電金具（図示せず）を介して電気錠制御器２９に電気的に接続されている。電気錠１７には、図１のそれと同一の通電時施錠型が使用されている。音発生装置１０、光発生装置１１、施錠スイッチ２４、取出スイッチ２５、テンキーモジュール２８、送信機３１、バーコードリーダ４９Ａ，４９Ｂ、第１および第２電磁ストッパー５１，５２は、コントローラ２７にインターフェイス（図示せず）を介して電気的に接続されている。音発生装置１０、光発生装置１１、施錠スイッチ２４、取出スイッチ２５、コントローラ２７、電気錠制御器２９、テンキーモジュール２８、送信機３１、バーコードリーダ４９Ａ，４９Ｂ、第１および第２電磁ストッパー５１，５２には、配電線（図示せず）を介して電力が供給されている。
【００４４】
音発生装置１０、光発生装置１１、アンテナ１２、電気錠１７、コントローラ２７、テンキーモジュール２８、電気錠制御器２９、送信機３１、バーコードリーダ４９Ａ，４９Ｂは、図１のそれらと同一である。音発生装置１０や光発生装置１１、アンテナ１２は、ストッカー収納ユニット２の頂壁４に設置されている。施錠スイッチ２４や取出スイッチ２５、テンキーパネル２６は、機材格納ユニット３の前壁２３に取り付けられている（図１参照）。コントローラ２７やテンキーモジュール２８、電気錠制御器２９、送信機３１は、格納ユニット３の内部に格納されている。コントローラ２７の制御部は、メモリに格納された使用期限情報をタイマの年月日と比較し、使用期限情報が示す年月日がタイマの年月日以前の場合、解錠信号（解錠指令）を電気錠制御器２９に出力する。逆に、使用期限情報が示す年月日がタイマの年月日を過ぎている場合、解錠信号を出力することなく、発音信号（発音指令）を音発生装置１０に出力するとともに、点灯信号（点灯指令）を光発生装置１１に出力し、送信信号（送信指令）を送信機３１に出力する。なお、ストッカー１３Ｂでは、第１および第２電磁ストッパー５１，５２の一方が通路４７から退出しているときに他方のストッパー５１，５２が通路４７から退出することがないように、通路４７に対するそれらストッパー５１，５２の進退出がコントローラ２７によって制御されている。
【００４５】
図９，１０は、図６のストッカー１３Ｂの最下に延びる通路４７の側面図である。図９は、容器３２Ｂが第１スペース５７に位置する以前の状態にあり、第１および第２電磁ストッパー５１，５２が通路４７に進出している。図１０は、容器３２Ｂが第１スペース５７に位置した状態にあり、第１電磁ストッパー５１が通路４７に進出し、第２電磁ストッパー５２が通路４７から退出している。図９では、通路４７から退出したストッパー５２を仮想線で示す。図１０では、通路４７に進出したストッパー５２を仮想線で示す。以下、図９，１０に基づいてキャビネット１に容器３２Ｂを収納したときの第１および第２電磁ストッパー５１，５２の作動を説明する。
【００４６】
キャビネット１に容器３２Ｂを収納するには、扉９を開けて容器３２Ｂをストッカー１３Ｂの投入口４５から投入し、容器３２Ｂが投入口４５と第２電磁ストッパー５２との間に延びる通路４７に並んだ後、扉９を閉め、施錠スイッチ２４を押して扉９の施錠をコントローラ２７に要求する。施錠スイッチ２４が押されると、コントローラ２７は、施錠信号（施錠指令）を電気錠制御器２９に出力する。施錠信号が入力された電気錠制御器２９は、通電金具を介して所定の電流を電気錠１７に流す。電気錠１７は、電流の通電によってその締まり機構が作動し、扉９を施錠する。ストッカー１３Ｂ内では、図９に示すように、第２電磁ストッパー５２によって容器３２Ｂの転動が阻止されている。扉９が施錠された後コントローラ２７は、第２電磁ストッパー５２を通路４７から退出させる。図９の状態からストッパー５２が矢印Ｌ１で示す縦方向下方へ引っ込み、ストッパー５２が通路４７から退出すると、容器３２Ｂが第１電磁ストッパー５１に向かって通路４７（第１スペース５７）を転動し、ストッパー５１に当接してその転動が停止する。その後、コントローラ２７は、第２電磁ストッパー５２を再び通路４７に進出させる。ストッパー５２が矢印Ｌ２で示す縦方向上方へ突き出し、ストッパー５２が通路４７に進出すると、図１０に示すように、容器３２Ｂの１つがそれらストッパー５１，５２の間に形成された第１スペース５７に位置する。容器３２Ｂが第１スペース５７に位置すると、バーコードリーダ４９Ａ，４９Ｂがそこに位置する容器３２Ｂのバーコード３６を読み取り可能となる。なお、コントローラ２７は、ストッパー５２が通路４７から退出したときから１〜５秒経過後に、ストッパー５２を再び通路４７に進出させる。また、コントローラ２７は、容器３２Ｂが第１スペース５７に位置したことをバーコードリーダ４９Ａ，４９Ｂを介して検出し、容器３２Ｂが第１スペース５７に位置したと判断したときに、通路４７から退出させたストッパー５２を再び通路４７に進出させる。
【００４７】
図１１，１２は、図６のストッカー１３Ｂの最下に延びる通路４７の側面図である。図１２は、容器３２Ｂが第２スペース５８を転動して取出口４６に達した状態にあり、第１電磁ストッパー５１が通路４７から退出し、第２電磁ストッパー５２が通路４７に進出している。図１１では、通路４７から退出したストッパー５１を仮想線で示し、第２スペース５８を転動する容器３２Ｂを仮想線で示す。図１２では、通路４７に進出したストッパー５１を仮想線で示す。以下、図１１，１２に基づいてキャビネット１から容器３２Ｂを取り出すときの第１および第２電磁ストッパー５１，５２の作動を説明する。
【００４８】
キャビネット１から容器３２Ｂを取り出すには、取出スイッチ２５を押して容器３２Ｂの取り出しをコントローラ２７に要求する。取出スイッチ２５が押されると、コントローラ２７がバーコードリーダ４９Ａ，４９Ｂにバーコード３６の読取信号（読取指令）を出力し、スキャナー部が起動してバーコードリーダ４９Ａ，４９Ｂが第１スペース５７に位置する容器３２Ｂのバーコード３６を読み取る。バーコードリーダ４９Ａ，４９Ｂからの使用期限情報は、コントローラ２７に入力され、コントローラ２７のメモリに格納される。コントローラ２７の制御部は、それに内蔵されたタイマが示す年月日と容器３２Ｂに収容された物品の使用期限情報とを比較し、物品の使用期限が期限内か期限外かを判断する。制御部は、使用期限がタイマの年月日以後の場合（容器３２Ｂに収容された物品が使用期限内である場合）、解錠信号を電気錠制御器２９に出力するとともに、第１電磁ストッパー５１を通路４７から退出させる。図１１の状態からストッパー５１が矢印Ｌ３で示す縦方向下方へ引っ込み、ストッパー５１が通路４７から退出すると、第１スペース５７に位置する容器３２Ｂが通路４７（第２スペース５８）を転動して取出口４６に達し、容器３２Ｂが停止板４８に当接してその転動が停止する。解錠信号が入力された電気錠制御器２９は、通電金具を介して電気錠１７への通電を遮断する。電気錠１７は、電流が遮断がされると、その締まり機構が作動し、扉９の施錠を解除する。扉９の施錠が解除された後、扉９を開き、取出口４６に位置する容器３２Ｂを取り出し、再び扉９を閉める。
【００４９】
取出口４６から容器３２Ｂを取り出した後、扉９を閉めて施錠スイッチ２４を押すと、コントローラ２７は、バーコードリーダ４９Ａ，４９Ｂにバーコード３６の読取停止信号を出力するとともに、施錠信号を電気錠制御器２９に出力し、第１電磁ストッパー５１を通路４７に進出させる。ストッパー５１は、図１２の状態から矢印Ｌ４で示す縦方向上方へ突き出し、通路４７に進出する。施錠信号が入力された電気錠制御器２９は、通電金具を介して所定の電流を電気錠１７に流す。電気錠１７は、電流の通電によってその締まり機構が作動し、扉９を施錠する。第１電磁ストッパー５１を通路４７に進出させた後、コントローラ２７は、第２電磁ストッパー５２を通路４７から退出させる。ストッパー５２が通路４７から退出すると、取り出された容器３２Ｂの直後に位置する容器３２Ｂが第１電磁ストッパー５１に向かって通路４７（第１スペース５７）を転動し、ストッパー５１に当接してその転動が停止する。その後、コントローラ２７は、第２電磁ストッパー５２を再び通路４７に進出させる。ストッパー５２が通路４７に進出すると、容器３２Ｂの１つが第１スペース５７に位置する。
【００５０】
コントローラ２７の制御部は、使用期限情報が示す年月日がタイマの年月日をより以前である場合（容器３２Ｂに収容された物品の使用期限が切れている場合）、解錠信号を電気錠制御器２９に出力することなく、発音信号を音発生装置１０に出力し、点灯信号を光発声装置１１に出力するとともに、期限切れ情報の送信信号を送信機３１に出力する。さらに、コントローラ２７の制御部は、バーコードリーダ４９Ａ，４９Ｂにバーコード３６の読取停止信号を出力するとともに、第１電磁ストッパー５１を通路４７から退出させる。ストッパー５１が通路４７から退出すると、第１スペース５７に位置する容器３２Ｂが取出口４６に向かって通路４７（第２スペース５８）を転動し、容器３２Ｂが取出口４６に達する。
【００５１】
コントローラ２７から発音信号と点灯信号とが出力されると、音発生装置１０や光発生装置１１のスイッチ回路のスイッチが入り、音発生装置１０が発音し、光発生装置１１が発光する。期限切れ情報は、送信機３１で変調されて電波信号となり、アンテナ１２を介して外部に発信され、外部受信機３０に受信される。第１スペース５７に位置する容器３２Ｂに収容された物品の使用期限が切れている場合は、電気錠１７が扉９の施錠を解除することはなく、扉９を開けることができないので、キャビネット１から容器３２Ｂを取り出すことはできない。この場合、物品の管理責任者は、テンキーパネル２６から所定の暗証番号を打ち込んで電気錠１７の施錠を解除したり、鍵を介して電気錠１７の施錠を解除し、扉９を開けて期限切れの物品を収容した容器３２Ｂをキャビネット１から回収した後、再び扉９を閉めて施錠スイッチ２４を押す。
【００５２】
管理責任者が期限切れの物品を収容した容器３２Ｂをキャビネット１から回収した後、扉９を閉めて施錠スイッチ２４を押すと、コントローラ２７は、施錠信号を電気錠制御器２９に出力し、第１電磁ストッパー５１を通路４７に進出させる。施錠信号が入力された電気錠制御器２９は、通電金具を介して所定の電流を電気錠１７に流す。電気錠１７は、電流の通電によってその締まり機構が作動し、扉９を施錠する。第１電磁ストッパー５１を通路４７に進出させた後、コントローラ２７は、第２電磁ストッパー５２を通路４７から退出させる。ストッパー５２が通路４７から退出すると、回収された容器３２Ｂの直後に位置する容器３２Ｂが第１電磁ストッパー５１に向かって通路４７（第１スペース５７）を転動し、ストッパー５１に当接してその転動が停止する。その後、コントローラ２７は、第２電磁ストッパー５２を再び通路４７に進出させる。ストッパー５２が通路４７に進出すると、容器３２Ｂの１つが第１スペース５７に位置する。
【００５３】
このキャビネット１は、バーコードリーダ４９Ａ，４９Ｂが読み取った物品の使用期限情報に基づいてコントローラ２７が第１スペース５７に位置する容器３２Ｂに収容された物品の使用期限が切れていると判断すると、コントローラ２７が解錠信号を出力することなく、扉９の施錠状態が維持され、さらに、コントローラ２７が発音信号と点灯信号とを出力し、音発生装置１０が発音信号にしたがって発音するとともに、光発生装置１１が点灯信号にしたがって発光するので、キャビネット１内に保管された物品の使用期限を確実に管理することができ、キャビネット１内から期限切れの物品を収容した容器３２Ｂが取り出されることがなく、期限切れの物品の使用を未然に防ぐことができる。
【００５４】
キャビネット１は、コントローラ２７が第１スペース５７に位置する容器３２Ｂに収容された物品の使用期限が切れていると判断すると、コントローラ２７が送信信号を出力し、送信機３１が送信信号にしたがって期限切れ情報を外部受信機３０に送信するので、キャビネット１内に使用期限切れの物品を収容した容器３２Ｂがあることを物品の管理責任者に知らせることができ、管理責任者がキャビネット１からの期限切れの物品の取り出しを事前に阻止することができる。
【００５５】
キャビネット１は、コントローラ２７が第１スペース５７に位置する容器３２Ｂに収容された物品が使用期限内であると判断したときに電気錠１７に解錠指令を出力するとともに、第１ストッパー５１を通路４７から退出させ、容器３２Ｂが１つ毎に第２スペース５８を転動して取出口４６に向かうので、物品の期限管理を容器３２Ｂ１つ毎に行うことができる。キャビネット１は、ストッカー１３Ｂに並ぶ容器３２Ｂが順に第１スペース５７に入り、使用期限の判断が行われた容器３２Ｂがキャビネット１から順に取り出されるので、容器３２Ｂの複数個がキャビネット１から一度に取り出されることはなく、期限切れの物品を収容した容器３２Ｂの取り出しを確実に防ぐことができる。
【００５６】
図１３，１４は、他の一例として示すストッカー１３Ｃの斜視図と、図１３のストッカー１３Ｃ内に貯蔵される容器３２Ｃの斜視図とである。図１３では、縦方向を矢印Ｌ、横方向を矢印Ｍ、前後方向を矢印Ｎで示し、ストッカー１３Ｃ内における容器３２Ｃの移動を矢印Ｚで示す。なお、ストッカー１３Ｃを除くキャビネット１の構成は、図１のそれと同一であるから、図１を援用してその図示は省略する。
【００５７】
ストッカー１３Ｃは、頂底壁３８，３９と、両側壁４０，４１および前後壁４２，４３と、縦方向へ並ぶ複数の平板４４とから形成されている。ストッカー１３Ｃは、ストッカー１３Ａと同様に、その３つが横方向へ並んだ状態でストッカー収納ユニット２の内部に設置されている。ストッカー１３Ｃは、ユニット２の上方に位置して後記する容器３２Ｃの１つを順に投入する上部投入口４５と、ユニット２の下方に位置して容器３２Ｃの１つを順に取り出す下部取出口４６と、投入口４５および取出口４６の間に延びる通路４７とを有する。平板４４は、前壁４２から後壁４３に向かって下がり勾配を有する第１平板４４Ａと、後壁４３から前壁４２に向かって下がり勾配を有する第２平板４４Ｂとから形成されている。第１および第２平板４４Ａ，４４Ｂは、ストッカー１３Ｃの上方から下方へ向かって交互に配置されている。通路４７は、それら壁３８，３９，４０，４１，４２，４３と平板４４とから形成され、投入口４５から取出口４６に向かって互い違いに傾斜している。ストッカー１３Ｃの最下に延びる通路４７には、ソレノイドから形成された第１電磁ストッパー５１（第１ストッパー）と第２電磁ストッパー５２（第２ストッパー）とが設置されている。それらストッパー５１，５２は、図６のそれらと同一である。
【００５８】
第１電磁ストッパー５１は、取出口４６近傍であって取出口４６から投入口４５に向かって前後方向後方へ所定寸法後退した通路４７の第１部位５３に配置されている。ストッパー５１は、ストッカー１３Ｃの最下に位置する平板４４Ｂに装置され、平板４４Ｂに形成された透孔５４から通路４７に進退出可能である。ストッパー５１が通路４７に進出すると、容器３２Ｃの転動が阻止される。第２電磁ストッパー５２は、第１電磁ストッパー５１から投入口４５に向かって前後方向後方へ所定寸法後退した通路４７の第２部位５５に配置されている。ストッパー５２は、ストッカー１３Ｃの最下に位置する平板４４Ｂに装置され、平板４４Ｂに形成された透孔５６から通路４７に進退出可能である。ストッパー５２が通路４７に進出すると、容器３２Ｃの転動が阻止される。
【００５９】
第１電磁ストッパー５１と第２電磁ストッパー５２との間には、容器３２Ｃの１つが入る第１スペース５７が形成されている。第１電磁ストッパー５１と取出口４６との間には、容器３２Ｃが転動する第２スペース５８が形成されている。ストッパー５１と取出口４６との間の第２スペース５８の長さは、容器３２Ｃがスペース５８を少なくとも１回転するように、容器３２Ｃの周面３５の円周とほぼ同一または円周よりも長い。第２スペース５８には、容器３２Ｃのバーコード３６を読み取るバーコードリーダ４９が配置されている。バーコードリーダ４９は、ストッカー１３Ｃの最下に延びる平板４４Ｂの下面に取り付けられ、そのスキャナー部（図示せず）が平板４４Ｂに形成された貫通孔５０の周縁部に固定されている。スキャナー部は、貫通孔５０から第２スペース５８に向かっている。貫通孔５０は、第２スペース５８のほぼ全長にわたって形成されている。
【００６０】
容器３２Ｃは、円形の頂底面３３，３４と、円筒状の周面３５とを有する。容器３２Ｃの周面３５には、表面にバーコード３６が印刷された１つのシート３７が取り付けられている。シート３７は、容器３２Ｃの周面３５のほぼ中央に位置して頂底面３３，３４間に延び、裏面に塗布された接着剤（図示せず）を介して周面３５に固着されている。バーコード３６は、図２のそれと同様に、ＪＡＮコードやＩＴＦ−１４／１６、コード３９、コーダバー、コード９３、コード１２８、コード４９、コード１６Ｋを使用することができる。シート３７は、図２に示すそれと同一の素材から作られている。投入口４５に容器３２Ｃを順次投入すると、容器３２Ｃが投入口４５から通路４７に進入して平板４４上を転がり、容器３２Ｃの複数個が通路４７に順に並ぶ。
【００６１】
キャビネット１のハードウェアーは、図８のそれと同一であるから、図８を援用してその図示は省略する。電気錠１７は、通電金具（図示せず）を介して電気錠制御器２９に電気的に接続されている。電気錠１７には、図１のそれと同一の通電時施錠型が使用されている。音発生装置１０、光発生装置１１、施錠スイッチ２４、取出スイッチ２５、テンキーモジュール２８、送信機３１、バーコードリーダ４９、第１および第２電磁ストッパー５１，５２は、コントローラ２７にインターフェイス（図示せず）を介して電気的に接続されている。音発生装置１０、光発生装置１１、施錠スイッチ２４、取出スイッチ２５、コントローラ２７、電気錠制御器２９、テンキーモジュール２８、送信機３１、バーコードリーダ４９、第１および第２電磁ストッパー５１，５２には、配電線（図示せず）を介して電力が供給されている。
【００６２】
音発生装置１０、光発生装置１１、アンテナ１２、電気錠１７、コントローラ２７、テンキーモジュール２８、電気錠制御器２９、送信機３１、バーコードリーダ４９は、図１のそれらと同一である。音発生装置１０や光発生装置１１、アンテナ１２は、ストッカー収納ユニット２の頂壁４に設置されている。施錠スイッチ２４や取出スイッチ２５、テンキーパネル２６は、機材格納ユニット３の前壁２３に取り付けられている（図１参照）。コントローラ２７やテンキーモジュール２８、電気錠制御器２９、送信機３１は、格納ユニット３の内部に格納されている。コントローラ２７の制御部は、メモリに格納された使用期限情報をタイマの年月日と比較し、使用期限情報が示す年月日がタイマの年月日以後の場合、解錠信号（解錠指令）を電気錠制御器２９に出力する。逆に、使用期限情報が示す年月日がタイマの年月日より以前である場合、解錠信号を出力することなく、発音信号（発音指令）を音発生装置１０に出力するとともに、点灯信号（点灯指令）を光発生装置１１に出力し、送信信号（送信指令）を送信機３１に出力する。なお、ストッカー１３Ｃでは、第１および第２電磁ストッパー５１，５２の一方が通路４７から退出しているときに他方のストッパー５１，５２が通路４７から退出することがないように、通路４７に対するそれらストッパー５１，５２の進退出がコントローラ２７によって制御されている。
【００６３】
図１５，１６は、ストッカー１３Ｃの最下に延びる通路４７の側面図である。図１５は、容器３２Ｃが第１スペース５７に位置する以前の状態にあり、第１および第２電磁ストッパー５１，５２が通路４７に進出している。図１６は、容器３２Ｃが第１スペース５７に位置した状態にあり、第１電磁ストッパー５１が通路４７に進出し、第２電磁ストッパー５２が通路４７から退出している。図１５では、通路４７から退出したストッパー５２を仮想線で示す。図１６では、通路４７に進出したストッパー５２を仮想線で示す。以下、図１５，１６に基づいてキャビネット１に容器３２Ｃを収納したときの第１および第２電磁ストッパー５１，５２の作動を説明する。
【００６４】
キャビネット１に容器３２Ｃを収納するには、扉９を開けて容器３２Ｃをストッカー１３Ｃの投入口４５から投入し、容器３２Ｃが投入口４５と第２電磁ストッパー５２との間に延びる通路４７に並んだ後、扉９を閉め、施錠スイッチ２４を押して扉９の施錠をコントローラ２７に要求する。施錠スイッチ２４が押されると、コントローラ２７は、施錠信号（施錠指令）を電気錠制御器２９に出力する。施錠信号が入力された電気錠制御器２９は、通電金具を介して所定の電流を電気錠１７に流す。電気錠１７は、電流の通電によってその締まり機構が作動し、扉９を施錠する。ストッカー１３Ｃ内では、図１５に示すように、第２電磁ストッパー５２によって容器３２Ｃの転動が阻止されている。扉９が施錠された後コントローラ２７は、第２電磁ストッパー５２を通路４７から退出させる。図１５の状態からストッパー５２が矢印Ｌ１で示す縦方向下方へ引っ込み、ストッパー５２が通路４７から退出すると、容器３２Ｃが第１電磁ストッパー５１に向かって通路４７（第１スペース５７）を転動し、ストッパー５１に当接してその転動が停止する。その後、コントローラ２７は、第２電磁ストッパー５２を再び通路４７に進出させる。ストッパー５２が矢印Ｌ２で示す縦方向上方へ突き出し、ストッパー５２が通路４７に進出すると、図１６に示すように、容器３２Ｃの１つがそれらストッパー５１，５２の間に形成された第１スペース５７に位置する。なお、コントローラ２７は、ストッパー５２が通路４７から退出したときから１〜５秒経過後に、ストッパー５２を再び通路４７に進出させる。
【００６５】
図１７，１８は、ストッカー１３Ｃの最下に延びる通路４７の側面図である。図１８は、容器３２Ｃが第２スペース５８を転動して取出口４６に達した状態にあり、第１電磁ストッパー５１が通路４７から退出し、第２電磁ストッパー５２が通路４７に進出している。図１７では、通路４７から退出したストッパー５１を仮想線で示し、第２スペース５８を転動する容器３２Ｃを仮想線で示す。図１８では、通路４７に進出したストッパー５１を仮想線で示す。以下、図１７，１８に基づいてキャビネット１から容器３２Ｃを取り出すときの第１および第２電磁ストッパー５１，５２の作動を説明する。
【００６６】
キャビネット１から容器３２Ｃを取り出すには、取出スイッチ２５を押して容器３２Ｃの取り出しをコントローラ２７に要求する。取出スイッチ２５が押されると、コントローラ２７は、バーコードリーダ４９にバーコード３６の読取信号（読取指令）を出力するとともに、第１電磁ストッパー５１を通路４７から退出させる。図１７の状態からストッパー５１が矢印Ｌ３で示す縦方向下方へ引っ込み、ストッパー５１が通路４７から退出すると、第１スペース５７に位置する容器３２Ｃが取出口４６に向かって通路４７（第２スペース５８）を転動し、取出口４６に達した容器３２Ｃが停止板４８に当接してその転動が停止する。バーコードリーダ４９は、そのスキャナー部が起動し、容器３２Ｃが第２スペース５８を転動する間に、容器３２Ｃのバーコード３６を読み取る。バーコードリーダ４９からの使用期限情報は、コントローラ２７に入力され、コントローラ２７のメモリに格納される。コントローラ２７の制御部は、それに内蔵されたタイマが示す年月日と容器３２Ｃに収容された物品の使用期限情報とを比較し、物品の使用期限が期限内か期限外かを判断する。制御部は、使用期限がタイマの年月日以後の場合（容器３２Ｃに収容された物品が使用期限内である場合）、バーコードリーダ４９にバーコード３６の読取停止信号を出力するとともに、解錠信号を電気錠制御器２９に出力する。解錠信号が入力された電気錠制御器２９は、通電金具を介して電気錠１７への通電を遮断する。電気錠１７は、電流が遮断がされると、その締まり機構が作動し、扉９の施錠を解除する。扉９の施錠が解除された後、扉９を開き、取出口４６に位置する容器３２Ｃを取り出し、再び扉９を閉める。
【００６７】
取出口４６から容器３２Ｃを取り出した後、扉９を閉めて施錠スイッチ２４を押すと、コントローラ２７は、施錠信号を電気錠制御器２９に出力するとともに、第１電磁ストッパー５１を通路４７に進出させる。信号が入力された電気錠制御器２９は、通電金具を介して所定の電流を電気錠１７に流す。電気錠１７は、電流の通電によってその締まり機構が作動し、扉９を施錠する。コントローラ２７は、第１電磁ストッパー５１を通路４７に進出させた後、第２電磁ストッパー５２を通路４７から退出させる。ストッパー５２が通路４７から退出すると、取り出された容器３２Ｃの直後に位置する容器３２Ｃが第１電磁ストッパー５１に向かって通路４７（第１スペース５７）を転動し、ストッパー５１に当接してその転動が停止する。その後、コントローラ２７は、第２電磁ストッパー５２を再び通路４７に進出させる。ストッパー５２が通路４７に進出すると、容器３２Ｃの１つが第１スペース５７に位置する。
【００６８】
コントローラ２７の制御部は、使用期限が示す年月日がタイマの年月日より以前であった場合（容器３２Ｃに収容された物品の使用期限が切れている場合）、解錠信号を電気錠制御器２９に出力することなく、発音信号を音発生装置１０に出力し、点灯信号を光発声装置１１に出力するとともに、期限切れ情報の送信信号を送信機３１に出力する。さらに、バーコードリーダ４９にバーコード３６の読取停止信号を出力する。コントローラ２７から発音信号と点灯信号とが出力されると、音発生装置１０や光発生装置１１のスイッチ回路のスイッチが入り、音発生装置１０が発音し、光発生装置１１が発光する。期限切れ情報は、送信機３１で変調されて電波信号となり、アンテナ１２を介して外部に発信され、外部受信機３０に受信される。第２スペース５８を転動する容器３２Ｃに収容された物品の使用期限が切れている場合は、電気錠１７が扉９の施錠を解除することはなく、扉９を開けることができないので、キャビネット１から容器３２Ｃを取り出すことはできない。この場合、物品の管理責任者は、テンキーパネル２６から所定の暗証番号を打ち込んで電気錠１７の施錠を解除したり、鍵を介して電気錠１７の施錠を解除し、扉９を開けて期限切れの物品を収容した容器３２Ｃをキャビネット１から回収した後、再び扉９を閉めて施錠スイッチ２４を押す。
【００６９】
管理責任者が期限切れの物品を収容した容器３２Ｃをキャビネット１から回収した後、扉９を閉めて施錠スイッチ２４を押すと、コントローラ２７は、施錠信号を電気錠制御器２９に出力するとともに、第１電磁ストッパー５１を通路４７に進出させる。信号が入力された電気錠制御器２９は、通電金具を介して所定の電流を電気錠１７に流す。電気錠１７は、電流の通電によってその締まり機構が作動し、扉９を施錠する。コントローラ２７は、第１電磁ストッパー５１を通路４７に進出させた後、第２電磁ストッパー５２を通路４７から退出させる。ストッパー５２が退出すると、回収された容器３２Ｃの直後に位置する容器３２Ｃが第１電磁ストッパー５１に向かって通路４７（第１スペース５７）を転動し、ストッパー５１に当接してその転動が停止する。その後、コントローラ２７は、第２電磁ストッパー５２を再び通路４７に進出させる。ストッパー５２が通路４７に進出すると、容器３２Ｃの１つが第１スペース５７に位置する。
【００７０】
このキャビネット１は、バーコードリーダ４９が読み取った物品の使用期限情報に基づいて、コントローラ２７が第２スペース５８を転動する容器３２Ｃに収容された物品の使用期限が切れていると判断すると、コントローラ２７が解錠信号を出力することなく、扉９の施錠状態が維持され、さらに、コントローラ２７が発音信号と点灯信号とを出力し、音発生装置１０が発音信号にしたがって発音するとともに、光発生装置１１が点灯信号にしたがって発光するので、キャビネット１内に保管された物品の使用期限を確実に管理することができ、キャビネット１内から期限切れの物品を収容した容器３２Ｃが取り出されることがなく、期限切れの物品の使用を未然に防ぐことができる。
【００７１】
キャビネット１は、コントローラ２７が第２スペース５８を転動する容器３２Ｃに収容された物品の使用期限が切れていると判断すると、コントローラ２７が送信信号を出力し、送信機３１が送信信号にしたがって期限切れ情報を外部受信機３０に送信するので、キャビネット１内に使用期限切れの物品を収容した容器３２Ｃがあることを物品の管理責任者に知らせることができ、管理責任者がキャビネット１からの期限切れの物品の取り出しを事前に阻止することができる。
【００７２】
キャビネット１は、容器３２Ｃが第２スペース５８を転動する間に、バーコードリーダ４９が容器３２Ｃに表示されたバーコード３６を読み取るので、バーコード３６をバーコードリーダ４９に確実に読み取らせることができ、容器３２Ｃに収容された物品の期限管理を確実に行うことができる。キャビネット１は、コントローラ２７が第１ストッパー５１を通路４７から退出させ、第１スペース５７に位置する容器３２Ｃが１つ毎に第２スペース５８を転動して取出口４６に向かい、コントローラ２７が第２スペース５８を転動する容器３２Ｃに収容された物品が使用期限内であると判断したときに電気錠１７に解錠指令を出力するので、物品の期限管理を容器３２Ｃ１つ毎に行うことができる。キャビネット１は、ストッカー１３Ｃに並ぶ容器３２Ｃが第１スペース５７から順に第２スペース５８に移動し、使用期限の判断が行われた容器３２Ｃがキャビネット１から順に取り出されるので、容器３２Ｃの複数個がキャビネット１から一度に取り出されることはなく、期限切れの物品を収容した容器３２Ｃの取り出しを確実に防ぐことができる。
【００７３】
キャビネット１では、頂壁４に設置されたアンテナ１２を省くとともに、音発生装置１０、光発生装置１１、送信機３１を省くこともできる。図６のストッカー１３Ｂでは、容器３２Ｂの他に、図２の容器３２Ａを使用することもできる。図１３のストッカー１３Ｃでは、容器３２Ｃの他に、図２の容器３２Ａや図７の容器３２Ｂを使用することもできる。なお、キャビネット１は、恒温湿庫や保冷庫、保温庫、クリーンボックスとして使用することができる。
【図面の簡単な説明】
【００７４】
【図１】一例として示すキャビネットの斜視図。
【図２】ストッカー内に貯蔵される容器の一例を示す斜視図。
【図３】側壁を破断した状態で示すストッカーの斜視図。
【図４】図３のストッカーの最下に延びる通路の側面図。
【図５】キャビネットのハードウェアーの一例を示すブロック図。
【図６】他の一例として示すストッカーの斜視図。
【図７】図６のストッカー内に貯蔵される容器の斜視図。
【図８】キャビネットのハードウェアーの他の一例を示すブロック図。
【図９】図６のストッカーの最下に延びる通路の側面図。
【図１０】図６のストッカーの最下に延びる通路の側面図。
【図１１】図６のストッカーの最下に延びる通路の側面図。
【図１２】図６のストッカーの最下に延びる通路の側面図。
【図１３】他の一例として示すストッカーの斜視図。
【図１４】図１３のストッカー内に貯蔵される容器の斜視図。
【図１５】図１３のストッカーの最下に延びる通路の側面図。
【図１６】図１３のストッカーの最下に延びる通路の側面図。
【図１７】図１３のストッカーの最下に延びる通路の側面図。
【図１８】図１３のストッカーの最下に延びる通路の側面図。
【符号の説明】
【００７５】
１    キャビネット
９    扉
１０    音発生装置
１１    光発生装置
１３Ａ    ストッカー
１３Ｂ    ストッカー
１３Ｃ    ストッカー
１７    電気錠
２７    コントローラ
３０    外部受信機
３１    送信機
３２Ａ    物品収納容器
３２Ｂ    物品収納容器
３２Ｃ    物品収納容器
３３    頂面
３４    底面
３５    周面
３６    バーコード
４５    上部投入口
４６    下部取出口
４７    通路
４９    バーコードリーダ
４９Ａ    バーコードリーダ
４９Ｂ    バーコードリーダ
５１    第１電磁ストッパー（第１ストッパー）
５２    第２電磁ストッパー（第２ストッパー）
５３    第１部位
５５    第２部位
５７    第１スペース
５８    第２スペース
【図１】
2006069698.tif 000003
【図２】
2006069698.tif 000004
【図３】
2006069698.tif 000005
【図４】
2006069698.tif 000006
【図５】
2006069698.tif 000007
【図６】
2006069698.tif 000008
【図７】
2006069698.tif 000009
【図８】
2006069698.tif 000010
【図９】
2006069698.tif 000011
【図１０】
2006069698.tif 000012
【図１１】
2006069698.tif 000013
【図１２】
2006069698.tif 000014
【図１３】
2006069698.tif 000015
【図１４】
2006069698.tif 000016
【図１５】
2006069698.tif 000017
【図１６】
2006069698.tif 000018
【図１７】
2006069698.tif 000019
【図１８】
2006069698.tif 000020